(57)【要約】      （修正有）【課題】空の段ボール箱類を投入するだけで自動的に破砕し容積を大幅に縮減することが可能な段ボール箱類解砕装置を提供する。【解決手段】装置本体２の一端３ａ側から空の段ボール箱類Ｂを投入し、装置本体内で段ボール箱類を破砕して破砕片とし、破砕片を装置本体の他端３ｂ側から搬出する段ボール箱類解砕装置１であって、装置本体の下側領域において一端３ａ側から他端３ｂ側に渡って配置され、一端３ａ側上面を段ボール箱類の投入領域とし、複数の破砕用下刃６を突設した搬送用キャタピラ５と、搬送用キャタピラの上部で、投入領域よりも他端３ｂ側に配置され、搬送用キャタピラとともに段ボール箱類の圧縮・破砕領域を形成する外周が円形で複数の破砕用上刃２４を所定間隔をもって突設した回転体２３と、搬送用キャタピラ、回転体を、異なる速度で、かつ、圧縮・破砕領域において搬入側から搬出側に移動するように各々駆動する搬送用キャタピラ駆動部８、回転体駆動部２６を有する。【選択図】図１
0003194380.tif 000002
【実用新案登録請求の範囲】
【請求項１】
装置本体の一端側から空の段ボール箱類を投入し、装置本体内で前記空の段ボール箱類を破砕して破砕片とし、この破砕片を装置本体の他端側から搬出するようにした段ボール箱類解砕装置であって、
前記装置本体の下側領域において一端側から他端側に渡って配置され、一端側上面を空の段ボール箱類の投入領域とし、複数の破砕用下刃を突設した搬送用キャタピラと、
前記搬送用キャタピラの上部で、かつ、前記投入領域よりも他端側に配置され、前記破砕用下刃付の搬送用キャタピラとともに空の段ボール箱類の圧縮・破砕領域を形成する外周が円形で複数の破砕用上刃を所定間隔をもって突設した回転体と、
前記破砕用下刃付の搬送用キャタピラ、破砕用上刃付の回転体を、異なる速度で、かつ、前記圧縮・破砕領域において搬入側から搬出側に移動するように駆動する駆動手段と、
を有し、
前記破砕用下刃付の搬送用キャタピラ、破砕用上刃付の回転体により投入された空の段ボール箱類を圧縮するとともに、前記破砕用下刃、破砕用上刃を圧縮された段ボール箱類に各々食い込ませ、これら破砕用下刃、破砕用上刃の速度差を利用して前記段ボール箱類を破砕し、破砕片を装置本体の他端側から搬出する構成としたことを特徴とする段ボール箱類解砕装置。
【請求項２】
下部筐体と、この下部筐体の上側で、かつ、他端側に配置した上部筐体とを備える装置本体と、前記下部筐体の一端側から空の段ボール箱類を投入し、下部筐体、上部筐体の内部で前記空の段ボール箱類を破砕して破砕片とし、この破砕片を下部筐体、上部筐体の他端側から搬出するようにした段ボール箱類解砕装置であって、
前記下部筐体一端側から他端側に渡って配置され、一端側上面を空の段ボール箱類の投入領域とし、複数の破砕用下刃を所定間隔をもって突設した搬送用キャタピラと、
前記上部筐体における搬送用キャタピラの上部で、かつ、前記投入領域よりも他端側に配置され、前記破砕用下刃付の搬送用キャタピラとともに空の段ボール箱類の圧縮・破砕領域を形成し、かつ、外周が円形で複数の破砕用上刃を所定間隔をもって突設した回転体と、
前記破砕用下刃付の搬送用キャタピラ、破砕用上刃付の回転体を、異なる速度で、かつ、前記圧縮・破砕領域において搬入側から搬出側に移動するように駆動する駆動手段と、
を有し、
前記破砕用下刃付の搬送用キャタピラ、破砕用上刃付の回転体により投入された空の段ボール箱類を圧縮するとともに、前記破砕用下刃、破砕用上刃を圧縮された段ボール箱類に各々食い込ませ、これら破砕用下刃、破砕用上刃の速度差を利用して前記段ボール箱類を破砕し、破砕片を装置本体の下部筐体、上部筐体の他端側から搬出する構成としたことを特徴とする段ボール箱類解砕装置。
【請求項３】
前記破砕用下刃の刃先の向きは、前記搬送用キャタピラの移動方向と逆向きであり、前記破砕用上刃の刃先の向きは、前記回転体の回転方向と同じ向きであることを特徴とする請求項１又は２記載の段ボール箱類解砕装置。
【請求項４】
前記破砕用下刃は、搬送用キャタピラの移動方向と直交配置に分散配置に、かつ、搬送用キャタピラの全体にわたって所定の間隔をもって分散配置に設けられ、前記破砕用上刃は、回転体の回転方向と直交配置に分散配置に、かつ、回転体の全周にわたって所定の間隔をもって分散配置に設けられるとともに、各破砕用下刃と各破砕用上刃とを相互干渉しない配置としていることを特徴とする請求項１乃至３のいずれか１項に記載の段ボール箱類解砕装置。
【請求項５】
前記破砕用下刃と、前記破砕用上刃との速度差は、１：３又は１：３以上に設定されることを特徴とする請求項１乃至４のいずれか１項に記載の段ボール箱類解砕装置。
【考案の詳細な説明】
【技術分野】
【０００１】
本考案は、段ボール箱類解砕装置に関し、詳しくは、空の段ボール箱類を効率よく圧縮、破砕して容積を大幅に縮減した破砕片とすることができる段ボール箱類解砕装置に関するものである。
【背景技術】
【０００２】
従来、各種物品収納倉庫、各種物品製造工場等で、中の収容物を抜き取った空の段ボール箱を処理する場合においては、軽量ではあるが容積の大きい空の段ボール箱を人手作業にて解体、整理することが多く行われている。
【０００３】
すなわち、人手作業でもって空の段ボール箱を解体し、パッカー車等に投入して搬出したり、圧縮減容機に投入して減容し保管スペースの削減を図ったりしている。
【０００４】
しかし、このような空の段ボール箱の解体、整理作業、パッカー車や圧縮減容機への投入作業には多くの作業時間を要し、必然的に多くの人件費を要している。
【０００５】
このような事情は、空の段ボール箱のみならず、空の厚紙箱、紙を主材とする廃材等の整理に関しても同様である。
【０００６】
特許文献１には、本考案に菌連する技術として、細断本体カバーの上部に被破砕物投入口を開口し、内部の第１段破砕部に両第１段破砕刃を、間隔をおいて、正転、逆転、停止を行えるように横架し、第１段破砕部の下方に第２段破砕部を設けて径を大きくした両第２段破砕刃を第１段よりも小間隔で且つ一方の第２段破砕刃の刃数を多くし、正転、逆転、停止を行えるように横架し、第２段破砕部の下方に第３段破砕部を設けて互いに噛合う両第３段破砕刃を横架し、第３段破砕部の下側に排出口を開口した構成からなるダンボール箱入り書類等を細断する装置が開示されている。
【０００７】
しかし、この特許文献１の装置は、装置本体の上部に被破砕物投入口を設け、下部には排出口を開口し、被破砕物投入口と排出口との間に、順に第１段破砕部、第２段破砕部及び第３段破砕部を設けた複雑、かつ、大型の構成であり、空の段ボール箱類を次々と自動的に破砕し容積を大幅に縮減するような用途には不向きであると推定される。
【先行技術文献】
【特許文献】
【０００８】
【特許文献１】特開平１１−２８３７９号公報
【考案の概要】
【考案が解決しようとする課題】
【０００９】
本考案が解決しようとする問題点は、空の段ボール箱類を投入するだけで自動的に破砕し容積を大幅に縮減することが可能で、空の段ボール箱類の整理作業、パッカー車や圧縮減容機への投入作業等に要する作業時間を短縮でき、作業能率の向上、人件費の削減に寄与し得るような段ボール箱類解砕装置が従来存在しない点である。
【課題を解決するための手段】
【００１０】
本考案に係る段ボール箱類解砕装置は、装置本体の一端側から空の段ボール箱類を投入し、装置本体内で前記空の段ボール箱類を破砕して破砕片とし、この破砕片を装置本体の他端側から搬出するようにした段ボール箱類解砕装置であって、前記装置本体の下側領域において一端側から他端側に渡って配置され、一端側上面を空の段ボール箱類の投入領域とし、複数の破砕用下刃を突設した搬送用キャタピラと、前記搬送用キャタピラの上部で、かつ、前記投入領域よりも他端側に配置され、前記破砕用下刃付の搬送用キャタピラとともに空の段ボール箱類の圧縮・破砕領域を形成する外周が円形で複数の破砕用上刃を、所定間隔をもって突設した回転体と、前記破砕用下刃付の搬送用キャタピラ、破砕用上刃付の回転体を、異なる速度で、かつ、前記圧縮・破砕領域において搬入側から搬出側に移動するように駆動する駆動手段と、を有し、前記破砕用下刃付の搬送用キャタピラ、破砕用上刃付の回転体により投入された空の段ボール箱類を圧縮するとともに、前記破砕用下刃、破砕用上刃を圧縮された段ボール箱類に各々食い込ませ、これら破砕用下刃、破砕用上刃の速度差を利用して前記段ボール箱類を破砕し、破砕片を装置本体の他端側から搬出する構成としたことを最も主要な特徴とする。
【考案の効果】
【００１１】
請求項１記載の考案によれば、装置本体に配置した破砕用下刃付の搬送用キャタピラ、破砕用上刃付の回転体により投入された空の段ボール箱類を圧縮するとともに、破砕用下刃、破砕用上刃を圧縮された段ボール箱類に各々食い込ませ、これら破砕用下刃、破砕用上刃の速度差を利用して段ボール箱類を破砕し、破砕片を装置本体の他端側から搬出する構成としているので、空の段ボール箱類を投入するだけで自動的に破砕し容積を大幅に縮減することが可能で、空の段ボール箱類の整理作業、パッカー車や圧縮減容機への投入作業等に要する作業時間を短縮でき、作業能率の向上、人件費の削減に寄与し得る段ボール箱類解砕装置を実現し提供することができる。
【００１２】
請求項２記載の考案によれば、下部筐体と、この下部筐体の上側で、かつ、他端側に配置した上部筐体とを備える装置本体と、前記下部筐体の一端側から空の段ボール箱類を投入し、下部筐体、上部筐体の内部で前記空の段ボール箱類を破砕して破砕片とし、この破砕片を下部筐体、上部筐体の他端側から搬出するようにした段ボール箱類解砕装置であって、前記下部筐体一端側から他端側に渡って配置されて、一端側上面を空の段ボール箱類の投入領域とし、複数の破砕用下刃を所定間隔をもって突設した搬送用キャタピラと、前記上部筐体における搬送用キャタピラの上部で、かつ、前記投入領域よりも他端側に配置され、前記破砕用下刃付の搬送用キャタピラとともに空の段ボール箱類の圧縮・破砕領域を形成し、かつ、外周が円形で複数の破砕用上刃を、所定間隔をもって突設した回転体と、前記破砕用下刃付の搬送用キャタピラ、破砕用上刃付の回転体を、異なる速度で、かつ、前記圧縮・破砕領域において搬入側から搬出側に移動するように駆動する駆動手段と、を有する構成の元に基に、請求項１記載の考案の場合と同様に、空の段ボール箱類を投入するだけで自動的に破砕し容積を大幅に縮減することが可能で、空の段ボール箱類の整理作業、パッカー車や圧縮減容機への投入作業等に要する作業時間を短縮でき、作業能率の向上、人件費の削減に寄与し得る段ボール箱類解砕装置を実現し提供することができる。
【００１３】
請求項３記載の考案によれば、請求項１又は２記載の考案と同様な効果を奏するとともに、破砕用下刃の刃先の向きは、搬送用キャタピラの移動方向と逆向きであり、破砕用上刃の刃先の向きは、前記回転体の回転方向と同じ向きであることにより、破砕すべき段ボール片に対して破砕用下刃の刃先、破砕用上刃の刃先により段ボール片を引きちぎる破砕力を確実に作用させ、確実に破砕片とすることができる段ボール箱類解砕装置を実現し提供することができる。
【００１４】
請求項４記載の考案によれば、請求項１乃至３のいずれか１項に記載の考案と同様な効果を奏するとともに、破砕用下刃は、搬送用キャタピラの移動方向と直交配置に分散配置に、かつ、搬送用キャタピラの全体にわたって所定の間隔をもって分散配置に設けられ、破砕用上刃は、回転体の回転方向と直交配置に分散配置に、かつ、回転体の全周にわたって所定の間隔をもって分散配置に設けられるとともに、各破砕用下刃と各破砕用上刃とを相互干渉しない配置としているので、破砕すべき段ボール片に対して偏りなく破砕力を作用させ、確実に破砕片とすることができる段ボール箱類解砕装置を実現し提供することができる。
【００１５】
請求項５記載の考案によれば、請求項１乃至４のいずれか１項に記載の考案と同様な効果を奏するとともに、破砕用下刃と、破砕用上刃との速度差を、１：３又は１：３以上に設定するようにしているので、各種の空の段ボール箱類に対して数種類の処理能力を発揮させることができ、また、処理能力の向上も図ることができる段ボール箱類解砕装置を実現し提供することができる。
【図面の簡単な説明】
【００１６】
【図１】図１は本考案の実施例に係る段ボール箱類解砕装置の概略断面図である。
【図２】図２は本実施例に係る段ボール箱類解砕装置における空の段ボール箱類の投入側から見た搬送用キャタピラと回転体とを示す概略説明図である。
【図３】図３は本実施例に係る段ボール箱類解砕装置における破砕片の搬出端側から見た搬送用キャタピラと回転体とを示す概略説明図である。
【図４】図４は本実施例に係る段ボール箱類解砕装置の制御系を示すブロック図である。
【図５】図５は本実施例に係る段ボール箱類解砕装置による空の段ボール箱類の破砕動作を示す概略説明図である。
【考案を実施するための形態】
【００１７】
本考案は、空の段ボール箱類を投入するだけで自動的に破砕し容積を大幅に縮減することが可能で、空の段ボール箱類の整理作業、パッカー車や圧縮減容機への投入作業等に要する作業時間を短縮でき、作業能率の向上、人件費の削減に寄与し得る段ボール箱類解砕装置を提供するという目的を、下部筐体と、この下部筐体の上側で、かつ、他端側に配置した上部筐体とを備える装置本体と、前記下部筐体の一端側から空の段ボール箱類を投入し、下部筐体、上部筐体の内部で前記空の段ボール箱類を破砕して破砕片とし、この破砕片を下部筐体、上部筐体の他端側から搬出するようにした段ボール箱類解砕装置であって、前記下部筐体一端側から他端側に渡って配置され、一端側上面を空の段ボール箱類の投入領域とし、複数の破砕用下刃を所定間隔をもって突設した搬送用キャタピラと、前記上部筐体における搬送用キャタピラの上部で、かつ、前記投入領域よりも他端側に配置されて、前記破砕用下刃付の搬送用キャタピラとともに空の段ボール箱類の圧縮・破砕領域を形成し、かつ、外周が円形で複数の破砕用上刃を所定間隔をもって突設した回転体と、前記破砕用下刃付の搬送用キャタピラ、破砕用上刃付の回転体を、異なる速度で、かつ、前記圧縮・破砕領域において搬入側から搬出側に移動するように駆動する駆動手段と、を有し、前記破砕用下刃付の搬送用キャタピラ、破砕用上刃付の回転体により投入された空の段ボール箱類を圧縮するとともに、前記破砕用下刃、破砕用上刃を圧縮された段ボール箱類に各々食い込ませ、これら破砕用下刃、破砕用上刃の速度差を利用して前記段ボール箱類を破砕し、破砕片を装置本体の下部筐体、上部筐体の他端側から搬出する構成により実現した。
【実施例】
【００１８】
以下、本考案の実施例に係る段ボール箱類解砕装置について図面を参照して詳細に説明する。
【００１９】
本実施例に係る段ボール箱類解砕装置１は、図１乃至図３に示すように、直方体箱型状で、上部が開口した下部筐体３と、この下部筐体３の上側で、かつ、下部筐体３の他端側に重ねるようにして配置した下部及び後述する一端３ａ側が開口した上部筐体２１とを備える装置本体２と、を具備し、前記下部筐体３の一端（投入端）３ａ側から空の段ボール箱類Ｂを投入し、下部筐体３、上部筐体２１の内部で前記空の段ボール箱類Ｂを破砕して破砕片Ｂａとし、この破砕片Ｂａを下部筐体３の他端（搬出端）３ｂ（上部筐体２１の他端）側の開口領域から外部に搬出するように構成している。
【００２０】
前記下部筐体３は、上面を開口させた直方体形状に構成され、この下部筐体３の内部には、三角形配置で、かつ、平行配置の第１乃至第３のキャタピラ用プーリ４ａ、４ｂ、４ｃからなるキャタピラ用プーリ群と、前記第１乃至第３のキャタピラ用プーリ４ａ、４ｂ、４ｃの各外周に掛け渡した所定間隔で破砕用下刃６を分散配置に取り付けた無端の搬送用キャタピラ５と、を配置している。
【００２１】
前記第１のキャタピラ用プーリ４ａは、前記下部筐体３の一端３ａ近傍で、かつ、下部筐体３の上端から所定寸法下方の位置に配置し、前記第２のキャタピラ用プーリ４ｂは、前記下部筐体３の他端３ｂの近傍で、かつ、前記第１のキャタピラ用プーリ４ｂと同一高さ位置に配置し、更に、前記第３のキャタピラ用プーリ４ｃは、前記第１のキャタピラ用プーリ４ａ、第２のキャタピラ用プーリ４ｂの下方で、かつ、これら両者の中間位置に配置している。
【００２２】
これにより、前記搬送用キャタピラ５は、前記第１のキャタピラ用プーリ４ａ、第２のキャタピラ用プーリ４ｂ間において下部筐体３の開口部分に臨む平坦な空の段ボール箱類Ｂ用の搬送領域を形成し、第２のキャタピラ用プーリ４ｂ、第３のキャタピラ用プーリ４ｃ間、及び第３のキャタピラ用プーリ４ｃ、第１のキャタピラ用プーリ４ａ間では、各々傾斜配置となる全体として三角形状の移動軌跡を有する構成としている。
【００２３】
また、前記第１のキャタピラ用プーリ４ａ、第２のキャタピラ用プーリ４ｂ間の平坦な配置の搬送用キャタピラ５の下側には、この搬送用キャタピラ５の垂れ下がりを防止するための搬送用キャタピラ用平坦台７を前記下部筐体３により固定支持する態様で配置している。
【００２４】
前記破砕用下刃６の刃先６ａの向きは、前記搬送用キャタピラ５の平坦領域における移動方向と逆向きとするとともに、前記破砕用下刃６は、搬送用キャタピラ５の移動方向と直交配置に分散配置に、かつ、搬送用キャタピラ５の全体にわたって所定の間隔をもって分散配置に突設している。
【００２５】
すなわち、前記破砕用下刃６の刃先６ａの向きを前記搬送用キャタピラ５の移動方向と逆向きとすることで、この破砕用下刃６が移動方向に引き込まれることなく破砕すべき段ボール片に食い込み（切り込み）易くなるようにしている。
【００２６】
前記下部筐体３には、前記搬送用キャタピラ５を図１において矢印方向に駆動するための搬送用キャタピラ駆動部８を配置している。
【００２７】
前記搬送用キャタピラ駆動部８は、詳細構造は省略するが、下部駆動モータ９、図示しない減速機等を具備し、例えば、前記第１のキャタピラ用プーリ４ａを図１に示す矢印方向に駆動するように構成している。したがって、第１のキャタピラ用プーリ４ａとともに前記搬送用キャタピラ５は図１に示す矢印方向に駆動するように構成している。
【００２８】
次に、前記上部筐体２１側の構成について説明する。
【００２９】
前記上部筐体２１は、前記下部筐体３の上側で、かつ、下部筐体３の他端３ｂ側に重ねるようにして一体的に配置するとともに、その下部及び前記下部筐体３の一端３ａ側の端面が開口した直方体箱形状に形成され、かつ、この上部筐体２１の前記搬送用キャタピラ５の移動方向の寸法が前記下部筐体３よりも小寸法で、また、奥行方向の寸法は前記下部筐体３の寸法と同一としている。
【００３０】
これにより、前記上部筐体２１における前記搬送用キャタピラ５の上部で、かつ、前記搬送用キャタピラ５が形成する空の段ボール箱類Ｂの投入領域の隣りに、前記破砕用下刃６付の搬送用キャタピラ５とともに空の段ボール箱類Ｂの圧縮・解砕領域２２を形成するようになっている。
【００３１】
また、前記上部筐体２１の内部には、前記圧縮・解砕領域２２に臨む配置で、外周が円形で複数の破砕用上刃２４を、所定間隔をもって突設した前記搬送用キャタピラ５の奥行寸法と略同等の奥行寸法を有する回転体２３を、上部筐体２１により両端を回転可能に支持した回転軸体２５を支軸として、かつ、前記搬送用キャタピラ５の移動方向と直交する配置で回転可能に配置している。
【００３２】
前記破砕用上刃２４の刃先２４ａの向きは、前記回転体２３の回転方向と同じ向き、すなわち、刃先２４ａが最も早く破砕すべき段ボール片に食い込むように設定している。
【００３３】
更に、前記破砕用上刃２４は、前記回転体２３の回転方向と直交配置に分散配置に、かつ、回転体２３の全周にわたって所定の間隔（例えば回転体２３の外周において９０度間隔）をもって分散配置に設けられるとともに、前記搬送用キャタピラ５側の各破砕用下刃６と各破砕用上刃２４とが相互干渉しない配置となるように設定している。
【００３４】
前記上部筐体２１には、回転体２３の回転軸体２５を図１に示す矢印方向に回転駆動するための回転体駆動部２６を配置している。
【００３５】
前記回転体駆動部２６は、詳細構造は省略するが、上部駆動モータ２７、図示しない減速機等を具備し、前記回転体２３の回転軸体２５を回転駆動するように構成している。
【００３６】
本実施例に係る段ボール箱類解砕装置１は、更に、前記搬送用キャタピラ駆動部８、前記回転体駆動部２６を制御し、前記搬送用キャタピラ５、前記回転体２３の駆動及びこれら両物の速度差を設定する駆動コントローラ３１を具備している。
【００３７】
前記駆動コントローラ３１は、図４に示すように、前記下部駆動モータ９を始動させ第１のキャタピラ用プーリ４ａを介して前記搬送用キャタピラ５を駆動するための下部駆動モータスイッチ３３と、前記上部駆動モータ２７を始動させ回転軸体２５、回転体２３を回転させるための上部駆動モータスイッチ３４と、前記搬送用キャタピラ５と回転体２３との速度差を１：３又は１：３以上（１：４、１：５、１：７等）に設定するための速度設定信号を例えばテンキー入力等で入力する速度設定部３５と、下部駆動モータスイッチ３３、上部駆動モータスイッチ３４、速度設定部３５からの各信号に基づき対応する制御信号を出力する制御部３２と、前記制御部３２の制御の基に下部駆動モータ９に駆動信号を送る下部駆動モータドライバ３６と、前記制御部３２の制御の基に上部駆動モータ２７に駆動信号を送る上部駆動モータドライバ３７と、を具備している。
【００３８】
次に、本実施例に係る段ボール箱類解砕装置１の動作を、空の段ボール箱類Ｂの圧縮・解砕動作を主にし、図１、図５を参照して説明する。
【００３９】
まず、前記下部駆動モータスイッチ３３、上部駆動モータスイッチ３４をオンにし、制御部３２の制御の基に前記搬送用キャタピラ５、回転体２３を各々図１に示す矢印方向に駆動する。
【００４０】
また、前記速度設定部３５により、前記搬送用キャタピラ５と回転体２３との速度差を１：３に設定する。
【００４１】
これにより、前記破砕用下刃６の移動速度をＶとすれば、前記破砕用上刃２４は３Ｖの回転速度で回転移動する。
【００４２】
この状態で、下部筐体３の一旦側から空の段ボール箱類Ｂを前記搬送用キャタピラ５の一端３ａ側に投入する。
【００４３】
前記搬送用キャタピラ５上に投入された空の段ボール箱類Ｂは、前記破砕用下刃６上に載って移動速度Ｖで回転体２３側に搬送され、更に、この空の段ボール箱類Ｂは前記搬送用キャタピラ５と回転体２３とにより下と上から挟み込まれつつ圧縮されて前記圧縮・解砕領域２２内において平坦状態の段ボール片（段ボール塊）となる。
【００４４】
このとき、前記搬送用キャタピラ５から突設した破砕用下刃６の刃先６ａは、段ボール片の下側からこの段ボール片に食い込み、また、前記回転体２３から突設した破砕用上刃２４は段ボール片の上側からこの段ボール片に前記破砕用下刃６の刃先６ａよりも速い速度で食い込む。
【００４５】
そして、既述したように、前記破砕用下刃６の移動速度と、前記破砕用上刃２４の回転速度とは、１：３の関係があることから、これら両者の速度差によって段ボール片を引きちぎるような破砕力が作用し、この結果、段ボール片は確実に個別分離状態の破砕片Ｂａとなる。
【００４６】
この場合、前記破砕用下刃６を、搬送用キャタピラ５の移動方向と直交配置に分散配置に、かつ、搬送用キャタピラ５の全体にわたって所定の間隔をもって分散配置に突設し、また、前記破砕用上刃２４は、前記回転体２３の回転方向と直交配置に分散配置に、かつ、回転体２３の全周にわたって所定の間隔をもって分散配置に突設しているので、破砕すべき段ボール片に対して偏りなく破砕力を作用させ、確実に破砕片Ｂａとすることができる。
【００４７】
前記破砕片Ｂａは、装置本体２の他端３ｂから搬出され次工程に移行することになる。
【００４８】
上述したような圧縮・解砕領域２２内での空の段ボール箱類Ｂの圧縮・解砕動作は、この圧縮・解砕領域に次々と搬送されてくる多数の空の段ボール箱類Ｂに対して次々と実行され、これにより、多数の空の段ボール箱類Ｂを装置本体２に次々と投入するだけで、自動的に破砕し容積を大幅に縮減することが可能で、空の段ボール箱類Ｂの整理作業、パッカー車や圧縮減容機への投入作業等に要する作業時間を大幅に短縮でき、作業能率の向上、更には人件費の削減に大いに寄与することが可能となる。
【００４９】
上述した本実施例の段ボール箱類解砕装置１によれば、例えば、３５０ｍｍ角程度の空の段ボール箱Ｂに関して６０個／分の処理能力を実現できることが確認できた。
【００５０】
本実施例の段ボール箱類解砕装置１の特徴について更に言及すると、前記装置本体２の寸法として、平面視で８００×１５００ｍｍ程度に設定することにより、装置全体構成の省ペース化を実現できる。
【００５１】
また、本実施例の段ボール箱類解砕装置１における装置本体２の有効幅、搬送用キャタピラ５による搬送速度を種々に変化させることにより、各種の空の段ボール箱類Ｂに対して数種類の処理能力を有する構成とすることができる。
【００５２】
例えば、前記搬送用キャタピラ５と回転体２３との速度差を、１：４、１：５、１：７等のように上述した場合よりもより大きく設定することで、空の段ボール箱Ｂに対する処理能力をより高めることができる。
【００５３】
加えて、空の段ボール箱類Ｂを多数を連続搬送してこれらを次々と解砕することができることから、前記装置本体２に対して、投入用のホッパーや、搬出用の搬出コンベアを組み合わせることで、空の段ボール箱類Ｂの自動的な投入、解砕、解砕した破砕片Ｂａの自動的な搬出を行うことが可能な斬新な段ボール箱自動解砕処理システムを構築することができる。
【産業上の利用可能性】
【００５４】
本考案は、空の段ボール箱類の他、既に折り畳まれている廃棄すべき段ボール箱類、空の厚紙箱、紙を主材とする廃材等の破砕、整理等を行う場合においても広範に適用可能である。
【符号の説明】
【００５５】
１    段ボール箱類解砕装置
２    装置本体
３    下部筐体
３ａ  一端
３ｂ  他端
４ａ  第１のキャタピラ用プーリ
４ｂ  第２のキャタピラ用プーリ
４ｃ  第３のキャタピラ用プーリ
５    搬送用キャタピラ
６    破砕用下刃
６ａ  刃先
７    搬送用キャタピラ用平坦台
８    搬送用キャタピラ駆動部
９    下部駆動モータ
２１    上部筐体
２２    圧縮・解砕領域
２３    回転体
２４    破砕用上刃
２４ａ  刃先
２５    回転軸体
２６    回転体駆動部
２７    上部駆動モータ
３１    駆動コントローラ
３２    制御部
３３    下部駆動モータスイッチ
３４    上部駆動モータスイッチ
３５    速度設定部
３６    下部駆動モータドライバ
３７    上部駆動モータドライバ
Ｂ    段ボール箱類
Ｂａ  破砕片
【図１】
0003194380.tif 000003
【図２】
0003194380.tif 000004
【図３】
0003194380.tif 000005
【図４】
0003194380.tif 000006
【図５】
0003194380.tif 000007